(57)【要約】【課題】複数の操作者によって再生が中断された場合にも、それぞれの操作者毎にその続きを再生することができる。またある操作者がある番組の再生を中断している場合に、その番組が他の操作者によって消去されることを防止することができる。【解決手段】再生の中断が行われた時に、その停止位置とその操作者を対応付けて記憶し、続き再生が行われた時に、その操作者に対応する停止位置から続き再生を行う。また記録している情報の消去が行われた時に、その操作者がその情報を再生済みか否かに対応してその消去の可否を判断する。【選択図】  図３
2004289418.tif 000002
【特許請求の範囲】
【請求項１】
複数の情報を記録する記録手段と、
前記記録手段に記録された情報を選択して再生する再生手段と、
前記記録手段に対して情報の記録と前記再生手段に対して情報の再生と前記再生手段に対して情報の再生の停止と前記停止した情報の続き再生とを行わせるための情報と操作者を識別するための情報とを入力可能な入力手段と、
前記情報の再生の停止が行われた時にその情報とその停止位置とその操作者を識別する情報を対応付けて記憶する手段と、
前記停止した情報の続き再生が行われた時にその続き再生をその操作者に対応する停止位置から続き再生を行う手段と、
を有する情報記録再生装置。
【請求項２】
複数の情報を記録する記録手段と、
前記記録手段に記録された情報を選択して再生する再生手段と、
前記記録手段に対して情報の記録と前記再生手段に対して情報の再生と前記記録手段に対して記録された情報の消去とを行わせるための情報と操作者を識別するための情報とを入力可能な入力手段と、
前記情報の再生が行われた時にその情報とその操作者を識別する情報を対応付けて記憶する手段と、
前記情報の消去が行われた時にその操作者がその情報を再生済みか否かに対応してその消去の可否を判断する手段と、
を有する情報記録再生装置。
【請求項３】
複数の情報を記録する記録手段と、
前記記録手段に記録された情報を選択して再生する再生手段と、
前記記録手段に対して情報の記録と前記再生手段に対して情報の再生と前記記録手段に対して記録された情報のリストを出力させるための情報と操作者を識別するための情報とを入力可能な入力手段と、
前記情報の記録が行われた時にその情報とその操作者を識別する情報を対応付けて記憶する手段と、
前記情報のリストの出力が行われた時にその操作者と対応付けて記憶している情報のリストを出力する手段と、
を有する情報記録再生装置。
【発明の詳細な説明】
【０００１】
【発明の属する技術分野】
本特許出願に係る発明（以後単に本発明とも言う）は、種々の情報、具体的には例えば動画を始めとする映像情報や音楽コンテンツ、あるいはこれらが複数組み合わされたマルチメディア情報等を複数記録し、その中から操作者が希望するものを自由に選択して再生することのできる、即ちランダムアクセスが可能な、情報記録再生装置及び情報記録再生方法に関するものである。
【０００２】
【従来の技術】
従来の情報記録再生装置及び情報記録再生方法には、例えば下記特許文献１に記載された番組録画再生装置及び番組録画再生方法があった。
【０００３】
前記番組録画再生装置は、ランダムアクセス可能な記憶媒体を備え、再生・視聴したい番組の選択操作性を向上し、効率的に番組を選ぶことができると共に、ランダムアクセス記憶媒体の特長を活かした利用形態を行うことができるものであった。
【０００４】
具体的には、例えば図６に示す番組選択画面では、録画番組をジャンル分けして一覧表示し、再生・視聴したい番組をカーソルによって選ぶことができる。
【０００５】
図６には「ドラマ」と呼ばれるジャンルの番組が２つ録画されている状態を示している。
【０００６】
第１の番組は８チャンネルで１２月１１日、水曜日の１８時から２０時に放送された番組を録画したもので、その代表的な映像、例えば最初の画面Ａが左端に小さく表示される。これは静止画像である。
【０００７】
第２の番組は６チャンネルで毎週金曜日の２１時から２２時に放送される番組の内、１２月６日と１２月１３日と１２月２０日の放送分が録画されている。代表的な映像である画面Ｂが左に小さく表示されるのは前記と同様である。
【０００８】
各録画番組については、既に再生・視聴した時間領域を矩形表示の棒グラフ６１１と再生終了線６１３によって示し、再生・視聴が番組の途中で中断されている時には、この再生終了線で示される箇所の１つの映像が画面Ｂとして表示される。
【０００９】
図６に示す番組選択画面によって操作者は、各録画された番組を再生・視聴したか否か、再生・視聴したならば最後まで再生・視聴したのか、途中まで再生・視聴した状態で中断されているかを、知ることができる。
【００１０】
そして、再生・視聴が途中で中断されている番組の続き再生が選択実行指示されると、中断された続きを再生することができる。
【００１１】
【特許文献１】
特開２０００−１３８８８６号公報
【００１２】
【発明が解決しようとする課題】
しかしながら前記従来の番組録画再生装置及び番組録画再生方法では、確かに番組を途中まで再生・視聴した状態で中断している場合には、そのことを確認することができると同時に、その続きを簡単に再生・視聴することができるが、その中断に関する時間領域等の情報は各番組毎に１つしか記憶しておくことができないため、例えば１つの番組を３人の家族、父、母、子供が再生・視聴しており、例えば父がその再生・視聴を中断しているような場合、母がその番組を視聴・再生しようとすると、父が中断している続きからしか再生・視聴することができないという問題点があった。
【００１３】
あるいは、父の中断を無視して最初から再生・視聴することは可能であっても、母もその再生・視聴を中断した後に、父が続きを再生・視聴しようとしても、母が中断した続きからしか再生・視聴を行うことができないという問題点があった。
【００１４】
同様にある１つの番組を３人の家族、父、母、子供が再生・視聴しており、例えば父がその番組を最後まで再生・視聴したのでその番組を消去しようとする時、子供がまだ再生・視聴を行っていないため、その番組を消去されると困るような場合であっても、そのことを表示できないため、父によってその番組が消去されてしまうという問題点があった。
【００１５】
更に、３人の家族が多くの番組を録画しているような場合、例えば「ドラマ」のジャンルに属する番組だけでも１つの番組選択画面に表示しきれなくなることがあった。
【００１６】
このような時には画面を切り替えながら番組を表示して選択することが必要になり、例えば母ならば母自身が録画した番組だけを表示すれば１つの画面に収まるような場合であっても、母自身が録画した番組だけを番組選択画面に表示することができず、そのために全員が録画した番組を切り替えて表示しながら、自分が再生・視聴したい番組を選択しなければならないという問題点があった。
【００１７】
本発明は、複数の操作者によって再生が中断された場合にも、それぞれの操作者毎にその続きを再生したり、またある操作者がある番組の再生を中断している場合に、その番組が他の操作者によって消去されることを防止することを目的とする。
【００１８】
【課題を解決するための手段】
この課題を解決するために本発明の情報記録再生装置は、複数の情報を記録する記録手段と、前記記録手段に記録された情報を選択して再生する再生手段と、前記記録手段に対して情報の記録と前記再生手段に対して情報の再生と前記再生手段に対して情報の再生の停止と前記停止した情報の続き再生とを行わせるための情報と操作者を識別するための情報とを入力可能な入力手段と、前記情報の再生の停止が行われた時にその情報とその停止位置とその操作者を識別する情報を対応付けて記憶する手段と、前記停止した情報の続き再生が行われた時にその続き再生をその操作者に対応する停止位置から続き再生を行う手段とを備えることを特徴とする。
【００１９】
また、複数の情報を記録する記録手段と、前記記録手段に記録された情報を選択して再生する再生手段と、前記記録手段に対して情報の記録と前記再生手段に対して情報の再生と前記記録手段に対して記録された情報の消去とを行わせるための情報と操作者を識別するための情報とを入力可能な入力手段と、前記情報の再生が行われた時にその情報とその操作者を識別する情報を対応付けて記憶する手段と、前記情報の消去が行われた時にその操作者がその情報を再生済みか否かに対応してその消去の可否を判断する手段とを備えることを特徴とする。
【００２０】
また、複数の情報を記録する記録手段と、前記記録手段に記録された情報を選択して再生する再生手段と、前記記録手段に対して情報の記録と前記再生手段に対して情報の再生と前記記録手段に対して記録された情報のリストを出力させるための情報と操作者を識別するための情報とを入力可能な入力手段と、前記情報の記録が行われた時にその情報とその操作者を識別する情報を対応付けて記憶する手段と、前記情報のリストの出力が行われた時にその操作者と対応付けて記憶している情報のリストを出力する手段とを備えることを特徴とする。
【００２１】
【発明の実施の形態】
本特許出願に係る発明（以後、本発明とも言う）の実施の形態を図面を使って詳細に説明する。
【００２２】
（実施の形態１）
本発明の実施の形態１による、ＨＤＤ内蔵デジタルＴＶ受信機１１０の主要部のブロック構成図を図１に示す。
【００２３】
このＨＤＤ内蔵デジタルＴＶ受信機１１０は外部から入力映像信号１７１を入力し、チューナ１１３で選局する。この選局は、操作部１３１のチャンネル選択部１５１によって選択されたチャンネルが、操作部１３１からチューナ１１３へ選局指示信号１８１として送られることによって実行される。
【００２４】
図２に、本発明の実施の形態１による、ＨＤＤ内蔵デジタルＴＶ受信機１１０の操作部１３１の概略図を示す。
【００２５】
図２にはその一部としてチャンネル選択部１５１が示されている。このチャンネル選択部１５１では、例としてチャンネル番号が地上ＶＨＦ放送のチャンネルに相当する１から１２と地上ＵＨＦ放送に相当する１９、３４を示しているが、これはあくまでも一例としてであって、実際にはその他の放送、例えばデジタル放送のチャンネルや衛星放送のチャンネルを選択することができる。しかしこれについては本発明の本質とは直接関係しないので詳細な説明は省略する。
【００２６】
また図２のチャンネル選択部１５１に示すように固定のチャンネルを選択するのではなく、例えば図４の本発明の実施の形態２によるＨＤＤ内蔵デジタルＴＶ受信機４１０の操作部４３１のチャンネル選択部４５１に示す、チャンネル・アップダウンキー（↑・↓）によってチャンネルを選択したり、予めチャンネルを決めてボタンスイッチに割り当てる方式等も勿論考えられるが、これについても本発明の本質とは直接関係しないのでこれ以上詳細な説明は省略する。
【００２７】
チューナ１１３で選局された選局済み映像信号１７２は制御部１１５によって切り替えられ、例えば映像表示信号１７５として表示部１１７で表示され、あるいは映像記録信号１７３としてＨＤＤ１１９に記録される。
【００２８】
このような映像信号の切り替えや表示、記録等は、操作部１３１に対して操作者が行った操作に従って、制御信号１８２が制御部１１５に送られ、記録再生指示信号１８３がＨＤＤ１１９に送られ、表示指示信号１８４が表示部１１７に送られることによって実行される。
【００２９】
例えば、チャンネル選択部１５１の「１」が押下されるとチャンネル１が選択され、その情報が選局指示信号１８１としてチューナ１１３に送られてチューナ１１３でチャンネル１が選局され、その情報が制御信号１８２として制御部１１５に送られ、制御部１１５は選局済み映像信号１７２を映像表示信号１７５として表示部１１７に送る。
【００３０】
また表示指示信号１８４が表示部１１７に送られ、表示部１１７は映像表示信号１７５を表示する。
【００３１】
例えばこの状態で操作部１３１の「録画」が押下されると、その情報が制御部１１５に制御信号１８２として送られ、制御部１１５は選局済み映像信号１７２を映像表示信号１７５として表示部へ送ると同時に、映像記録信号１７３としてＨＤＤ１１９にも送る。
【００３２】
同時に、操作部１３１から記録再生指示信号１８３がＨＤＤ１１９に送られ、ＨＤＤ１１９は映像記録信号１７３を記録する。
【００３３】
あるいはその後、操作部の「再生」が押下されると、ＨＤＤ１１９に記録された映像情報が、映像再生信号１７４として制御部１１５に読み出され、読み出された映像再生信号１７４は、制御部１１５によって映像表示信号１７５として表示部１１７へ送られ、表示部１１７で表示される。
【００３４】
この時、再生する映像情報は、ＨＤＤ１１９に記録されている多くの映像情報（番組）の中から選択されるが、その選択は例えば図３に示すように、ＨＤＤ１１９に記録されている映像情報（番組）の一覧表（リスト）を表示部１１７に表示し、その中から操作者が操作部１３１のカーソル移動部１５９を使ってカーソルを動かし、選択することができる。
【００３５】
図２のカーソル移動部１５９には、上下左右にカーソルを動かす矢印キーを示しているが、必ずしもこのような構成のカーソル移動部１５９に限るものではなく、例えばいわゆるジョイステックと呼ばれるような構成のカーソル移動部１５９であっても構わないし、例えばいわゆるマウスと呼ばれるような構成のカーソル移動部１５９であっても構わないし、その他のいわゆるポインティングデバイスと呼ばれる構成のカーソル移動部１５９であっても構わない。
【００３６】
更にあるいは、この再生する映像情報（番組）の選択は、他の何等かの方法、例えば番号入力による方法等であっても構わないが、本発明の本質とは直接関係しないので、これ以上の詳細な説明は省略する。
【００３７】
このようにして行われた番組の再生は、操作部１３１の「再生終了」を押下することによって終了する。即ち、「再生終了」が押下されるとその情報が制御信号１８２として制御部１１５に送られ、制御部１１５はＨＤＤ１１９から映像再生信号１７４の読み出しを止め、同時にその信号を映像表示信号１７５として表示部１１７に送ることも停止する。
【００３８】
ＨＤＤ１１９にも必要に応じて「再生終了」が押下された情報が記録再生指示信号１８３として送られ、ＨＤＤ１１９は映像再生信号１７４の読み出しを停止する。
【００３９】
また記録再生指示信号１８３は、後述する記録再生履歴を記憶するため、制御部１１５にも送られる。この信号によって制御部１１５は後述する記録再生履歴を作成し、記憶することができる。
【００４０】
この記録再生履歴は、ＨＤＤ１１９に映像記録信号１７３が記録される時に、同時にその操作者、チャンネル番号、記録された月日、曜日、開始と終了の時刻等、図３に示す表示部１１７に表示するために必要な情報が映像記録信号１７３に対応付けて、制御部１１５の不揮発メモリ（図示せず）に記憶されるものである。
【００４１】
あるいはこの記録再生履歴は、必ずしも制御部１１５の不揮発メモリに記憶されず、ＨＤＤ１１９に映像記録信号１７３と対応付けて記録されても良いし、その他の何等かの方法で記録されても構わない。
【００４２】
例えば、操作者が操作部１３１の操作者入力部１５８の「祖父」を押下すると、その情報が制御信号１８２として制御部１１５に送られ、制御部１１５によって以後の操作は全て祖父によるものであるとして、記録再生履歴に記録される。
【００４３】
その他、「祖母」、「父」等々が押下された場合も同様である。またこの操作者の入力は、図２の例では、操作者入力部１５８に設置された「祖父」・・のボタンスイッチを使用するが、必ずしもこの方式に限るものではなく、例えば番号スイッチを押下することによっても良いし、あるいはまた、例えば図４の本発明の実施の形態２によるＨＤＤ内蔵デジタルＴＶ受信機４１０の操作部４３１の操作者入力部４５８に設置された、指紋センサ４９７等を用いることによって操作者を識別する方法によっても構わない。
【００４４】
このように、例えば指紋センサ４９７を用いる時には、例えばセキュリティ管理に使われる指紋判別センサのように高精度な指紋判別センサであることは必要でなく、家族数人の識別が可能な精度の指紋センサであれば、充分である。
【００４５】
ＨＤＤ１１９に記録された映像情報は、操作部１３１のリスト表示指示部１６０が操作されることによって、表示部１１７にそのリスト（一覧表）が表示される。このリストには前記記録再生履歴が含まれる。
【００４６】
そのリストの一例を図３に示す。しかしこれはあくまで一例であって、この形式に限るものではなく、同等の内容が提示可能なものであれば良いことは言うまでもない。
【００４７】
例えば操作者によって操作部の「再生中断」が押下されると、その情報が制御部１１５へ送られ、制御部１１５は読み出し中の映像再生信号１７４の読み出しを中断し、同時に読み出した映像再生信号１７４を映像表示信号１７５として表示部１１７に送ることも停止する。
【００４８】
操作部の「再生中断」が押下されたことは必要に応じて、ＨＤＤ１１９にも送られ、ＨＤＤでは読み出し中の映像再生信号１７４の読み出しを停止する。
【００４９】
同時にこの再生中断が実行された時には、再生中の映像信号の中断された位置が、制御部１１５によって前記記録再生履歴に記憶される。
【００５０】
そしてこの中断された位置に関する情報は、操作者毎に操作者と映像情報（番組）に対応付けて記憶される。
【００５１】
従って、ある映像情報（番組）について複数の操作者、例えば祖父、子供Ａ、母が再生中断を行っていれば、そのリストには例えば図３に示すように表示される。
【００５２】
図３に示す例では、現在、ＨＤＤ１１９には「ドラマ」と呼ばれるジャンルの映像情報（番組）が２つ録画されており、第１の番組は８チャンネルで１２月１１日、水曜日の１８時から２０時に放送された番組を録画したもので、その代表的な映像、例えば最初の画面Ｃが左端に小さく表示される。これは静止画像である。
【００５３】
この再生履歴が棒グラフによって表示されるが、現在何等の再生・視聴済みの時間領域を示す棒グラフ３１１もこの番組の再生履歴には表示されておらず、再生終了線３１３も再生履歴の左端に表示されているので、この番組は全く再生されたことがないことが解る。
【００５４】
第２の番組は６チャンネルで１２月１３日、金曜日の２１時から２２時に放送された番組を録画したもので、代表的な映像である画面Ｄが左に小さく表示されるのは前記と同様である。
【００５５】
この番組の再生履歴には、３つの棒グラフが表示されている。第１の棒グラフは再生者が祖父と表示されていることから祖父が再生した履歴を示しており、再生・視聴済みの時間領域を示す棒グラフ３１１は再生履歴の右端まで表示され、再生終了線３１３も再生履歴の右端に表示されているので、この番組は祖父によって最後まで再生されたことが解る。
【００５６】
第２の棒グラフは再生者が子供Ａと表示されていることから子供Ａが再生した履歴を示しており、再生・視聴済みの時間領域を示す棒グラフ３１１は再生履歴の左端から約１／４程度の所で止まっており、再生終了線３１３も再生履歴の左端から約１／４の所に表示されているので、この番組は子供Ａによって最初から約１／４の所まで再生されたことが解る。
【００５７】
また例えば、現在の操作者が子供Ａであったとすると、この番組の最初から約１／４の所の映像が、左端の画面Ｄに表示される。
【００５８】
第３の棒グラフは再生者が母と表示されていることから母が再生した履歴を示しており、再生・視聴済みの時間領域を示す棒グラフ３１１は再生履歴の左端から約２／３程度の所まで進んで止まっており、再生終了線３１３も再生履歴の左端から約２／３の所に表示されているので、この番組は母によって最初から約２／３の所まで再生されたことが解る。
【００５９】
また例えば、現在の操作者が母であったとすると、この番組の最初から約２／３の所の映像が、左端の画面Ｄに表示される。
【００６０】
この状態で、例えば操作者として「母」が選択されており、そして更にその状態で操作者によってこの第２の番組が選択されて、操作部１３１の「再生継続」が押下されると、その情報が制御信号１８２として制御部１１５に送られ、制御部１１５はＨＤＤ１１９から第２の番組に相当する映像情報の、前回この母によって再生中断が行われた続きを映像再生信号１７４として読み出し、その信号を映像表示信号１７５として表示部１１７へ送る。
【００６１】
この情報は同様に必要に応じてＨＤＤ１１９にも送られ、ＨＤＤ１１９は第２の番組に相当する映像情報の、前回この母によって再生中断が行われた続きを映像再生信号１７４として読み出し、その信号を制御部１１５へ送る。
【００６２】
表示部１１７は制御部１１５から送られた映像表示信号１７５を表示する。
【００６３】
また上記説明したこの実施の形態では、番組のジャンルの設定や選択を行うことも必要であり、この設定や選択は、例えば図４の本発明の実施の形態２による、ＨＤＤ内蔵デジタルＴＶ受信機４１０の操作部４３１のジャンル選択部４５５に設置されたジャンル選択ボタンスイッチ等を用いることができるし、その他の方法、例えば番号による設定入力・選択や、カーソルを使った設定入力・選択も可能であるが、本発明の本質とは直接関係しないのでこれ以上の詳細な説明は省略する。
【００６４】
以上説明したように、本発明の実施の形態１によるならば、記録再生履歴を操作者毎に操作者と映像情報（番組）に対応付けて記憶することによって、複数の操作者によって再生・視聴が途中で中断された場合であっても、それぞれの操作者毎にその続きを再生・視聴することができる。
【００６５】
（実施の形態２）
本発明の実施の形態２によるＨＤＤ内蔵デジタルＴＶ受信機４１０の主要部のブロック構成は、本発明の実施の形態１によるＨＤＤ内蔵デジタルＴＶ受信機１１０の主要部のブロック構成とほとんど同じであるから図１を兼用して、その相違点のみを以下に説明する。
【００６６】
本発明の実施の形態２によるＨＤＤ内蔵デジタルＴＶ受信機４１０に関して、本発明の実施の形態１によるＨＤＤ内蔵デジタルＴＶ受信機１１０と発明の本質として相違するのは、図４に示す本発明の実施の形態２によるＨＤＤ内蔵デジタルＴＶ受信機４１０の操作部４３１の「消去」ボタンスイッチが押下された時だけである。
【００６７】
その他、図４に示す本発明の実施の形態２によるＨＤＤ内蔵デジタルＴＶ受信機４１０の操作部４３１は、ジャンル選択部４５１が設置されていること、操作者入力部４５８として指紋センサ４９７が設置されていること、チャンネル選択部４５１にチャンネル・アップダウンキー（↑・↓）が設置されていること等に関して、前記本発明の実施の形態１のＨＤＤ内蔵デジタルＴＶ受信機１１０と異なるが、これらの相違は発明の本質的なものではない。
【００６８】
これらについては既に本発明の実施の形態１で説明済みであるから、これ以上の詳細な説明は省略する。
【００６９】
本実施の形態では、図４に示す操作部４３１の「消去」ボタンスイッチが押下された時、直ちに選択された映像情報（番組）を、映像情報（番組）記録部であるＨＤＤ１１９から消去することを行わない。
【００７０】
図４に示す操作部４３１の「消去」ボタンスイッチが押下された旨の情報は、制御部１１５に対して制御信号１８２として送られ、制御部１１５はこの情報に基づいて、選択されている映像情報（番組）の記録再生履歴を確認する。
【００７１】
そしてこの映像情報（番組）に関して、例えば、現在消去を実行した以外の操作者によって再生・視聴が中断された状態であることが確認されると、この映像情報（番組）の消去は拒絶される。
【００７２】
操作者が操作した映像情報（番組）の消去が拒絶されたことは、例えば制御部１１５からその旨を表示するメッセージ情報が映像表示信号１７５として表示部１１７へ送られ、表示部１１７でそのメッセージが表示されることによって、その操作者に知らされる。
【００７３】
また操作者は、例えば前記リストを表示することによって、消去が拒絶された理由が、他者による再生・視聴の中断が残っているためであることを確認することができ、更にその再生・視聴を中断しているのが家族の誰であるかを確認することもできる。
【００７４】
あるいは、前記説明では、操作者が実行した消去が拒絶される理由として、他者による再生・視聴の中断が残っている場合だけであったが、その他の理由として、例えば消去を実行した操作者と録画を実行した操作者が異なる場合や、例えば説明していないが映像情報（番組）に所有者が設定されており、この所有者と消去を実行した操作者とが異なる場合や、あるいは、これも説明していないが映像情報（番組）にある操作者によって「消去禁止」や「視聴希望」に関する情報が登録されており、この登録を行った操作者と消去を実行した操作者とが異なる場合等、がある。
【００７５】
以上説明したように、本発明の実施の形態２によるならば、記録再生履歴を操作者毎に操作者と映像情報（番組）に対応付けて記憶することによって、ある操作者がある番組の再生・視聴を途中で中断している場合やその他のケースで、その番組が他の操作者によって消去されることを防止することができる。
【００７６】
（実施の形態３）
本発明の実施の形態３によるＨＤＤ内蔵デジタルＴＶ受信機８１０の主要部のブロック構成や操作部８３１（以後、操作部４３１と同一視して説明する）は、本発明の実施の形態１によるＨＤＤ内蔵デジタルＴＶ受信機１１０の主要部のブロック構成や本発明の実施の形態２によるＨＤＤ内蔵デジタルＴＶ受信機４１０の操作部４３１とほとんど同じであるから、図１及び図４を兼用して、その相違点のみを以下に説明する。
【００７７】
本発明の実施の形態３によるＨＤＤ内蔵デジタルＴＶ受信機８１０に関して、本発明の実施の形態１によるＨＤＤ内蔵デジタルＴＶ受信機１１０や本発明の実施の形態２によるＨＤＤ内蔵デジタルＴＶ受信機４１０と発明の本質として相違するのは、図４に示す本発明の実施の形態３によるＨＤＤ内蔵デジタルＴＶ受信機８１０の操作部８３１の「リスト表示」ボタンスイッチが押下された時だけである。
【００７８】
本実施の形態では、このリスト表示ボタンスイッチが押下されて、映像情報（番組）記録部であるＨＤＤ１１９に記録されている映像情報（番組）の表示が実行指示されると、その情報は図１の操作部１３１か制御部１１５に対して制御信号１８２として送られ、制御部１１５では記憶している記録再生履歴に基づいてそのリストを表示部１１７に表示する。
【００７９】
この表示例を図５に示す。
【００８０】
本実施の形態では、記録されている映像情報（番組）をジャンル別に区分して画面に表示することを行わず、その代わりにこのリスト表示の実行を指示した操作者別に区分して表示する。
【００８１】
例えば図５に示す例では、このリスト表示の実行を指示した操作者が母であった状態が示されている。
【００８２】
この時には、表示部１１７には、利用者が母である映像情報（番組）だけが表示され、現在ＨＤＤ１１９には、利用者が母である２つの映像情報（番組）が記録されていることが示される。
【００８３】
第１の番組は８チャンネルで１２月１１日、水曜日の１８時から２０時に放送された「ドラマ」番組を録画したもので、その代表的な映像、例えば最初の画面Ｅが左端に小さく表示される。
【００８４】
この再生履歴が棒グラフによって表示されるが、現在何等の再生・視聴済みの時間領域を示す棒グラフ５１１もこの番組の再生履歴には表示されておらず、再生終了線５１３も再生履歴の左端に表示されているので、この番組は未だ「母」によって全く再生されていないことが解る。
【００８５】
第２の番組は６チャンネルで１２月１３日、金曜日の２１時から２２時に放送された「洋画」番組を録画したもので、代表的な映像である画面Ｆが左に小さく表示されるのは前記と同様である。
【００８６】
この番組の再生履歴には、再生・視聴済みの時間領域を示す棒グラフ５１１と再生終了線５１３が表示されており、それぞれ左端から約２／３程度進んだ所を示しているので、この番組は母によって約２／３程度まで再生されたことが解る。この約２／３程度進んだ所の映像が、左の画面Ｆに表示される。
【００８７】
またこの映像情報（番組）の利用者は例えば母であったが、この利用者としては、例えばこの映像情報（番組）を録画した者とすることもできるし、別途映像情報（番組）の「所有者」として設定登録を行うこともできるし、別途映像情報（番組）の「再生・視聴希望者」として設定登録を行うこともできる。
【００８８】
更にこれらの所有者や再生・視聴希望者は複数設定登録することもできる。このケースでは、利用者として複数の人が設定された映像情報（番組）は、これら複数の利用者がリスト表示の操作を実行する毎に、表示されることになる。
【００８９】
そしてその再生履歴には、その利用者による再生の履歴が表示される。
【００９０】
以上説明したように、本発明の実施の形態３によるならば、記録再生履歴を操作者毎に操作者と映像情報（番組）に対応付けて記憶することによって、家族が多くの番組を録画しているような場合、例えば「ドラマ」のジャンルに属する番組だけでも１つの番組選択画面に表示しきれなくなる時にも、画面を切り替えながら番組を表示して選択することは必要でなく、例えば母ならば母自身が再生・視聴したい番組だけを表示して１つの画面に収めることが可能になる。
【００９１】
このようにすることによって、全員が録画した番組を切り替えて表示しながら、自分が再生・視聴したい番組を選択しなければならないという問題点が解消され、自分自身が再生・視聴したい映像情報（番組）だけを１つの画面に表示して、この中から希望のものを選択することが可能になる。
【００９２】
（その他の実施の形態）
これまでの本発明の実施の形態では、一例としてＨＤＤ内蔵デジタルＴＶ受信機を説明したが、本発明の実施の形態はこれだけに限るものではない。
【００９３】
例えば、前記ＨＤＤは必ずしもＨＤＤに限るものではなく、ＤＶＤやＣＤ、ＭＯ等、光学的・物理的・磁気的・化学的な方法やこれらの組み合わせで情報を記録することが可能なものでもよく、ＶＴＲ等、テープ形状のものに情報を記録することが可能なものでも良く、ＳＤ−ＣＡＲＤやフラッシュＲＡＭ等、半導体を利用した情報記録機器でも良い。
【００９４】
また必ずしもこれらを内蔵していることも必要ではなく、必要や用途に応じて１つまたは複数のものを外付けする形式のものであっても良い。
【００９５】
更に、必ずしもデジタルＴＶ放送受信機であることも必須ではなく、アナログＴＶ等の放送であっても良いことは言うまでもなく、アナログ・デジタルの電気的・光学的ＣＡＴＶ放送の受信機であっても良い。
【００９６】
【発明の効果】
以上詳細に説明したように、本発明によるならば、複数の操作者によって再生・視聴が途中で中断された場合であっても、それぞれの操作者毎にその続きを再生・視聴することができる。
【００９７】
また、ある操作者がある番組の再生・視聴を途中で中断している場合やその他のケースで、その番組が他の操作者によって消去されることを防止することができる。
【００９８】
また、全員が録画した番組を切り替えて表示しながら、自分が再生・視聴したい番組を選択しなければならないという問題点が解消され、自分自身が再生・視聴したい映像情報（番組）だけを１つの画面に表示して、この中から希望のものを選択することが可能になる。
【００９９】
このように本発明の利用価値は極めて大きく、本発明は極めて有用である。
【図面の簡単な説明】
【図１】本発明の実施の形態１によるＨＤＤ内蔵デジタルＴＶ受信機１１０の主要部のブロック構成図
【図２】本発明の実施の形態１によるＨＤＤ内蔵デジタルＴＶ受信機１１０の操作部１３１の概略図
【図３】本発明の実施の形態１によるＨＤＤ内蔵デジタルＴＶ受信機１１０の表示部１１７の概略図
【図４】本発明の実施の形態２によるＨＤＤ内蔵デジタルＴＶ受信機４１０の操作部４３１の概略図
【図５】本発明の実施の形態３によるＨＤＤ内蔵デジタルＴＶ受信機８１０の表示例を示す図
【図６】従来の番組録画再生装置の番組選択画面の一例を示す図
【符号の説明】
１１０，４１０，８１０  ＨＤＤ内蔵デジタルＴＶ受信機
１１３  チューナ
１１５  制御部
１１７  表示部
１１９  ＨＤＤ
１３１，４３１，８３１  操作部
１５１，４５１  チャンネル選択部
１５２  録画指示部
１５３  再生指示部
１５４  再生終了部
１５５  再生中断部
１５６  再生継続部
１５７  消去指示部
１５８，４５８  操作者入力部
１５９  カーソル移動部
１６０  リスト表示指示部
１７１  入力映像信号
１７２  選局済み映像信号
１７３  映像記録信号
１７４  映像再生信号
１７５  映像表示信号
１８１  選局指示信号
１８２  制御信号
１８３  記録再生指示信号
１８４  表示指示信号
３１１，５１１，６１１  再生・視聴済みの時間領域を示す棒グラフ
３１３，５１３，６１３  再生終了線
４５５  ジャンル選択部
４５９  カーソル移動部
４９７  指紋センサ
【図１】
2004289418.tif 000003
【図２】
2004289418.tif 000004
【図３】
2004289418.tif 000005
【図４】
2004289418.tif 000006
【図５】
2004289418.tif 000007
【図６】
2004289418.tif 000008